(57)【要約】【課題】  簡単にキャップを本体に着脱することができる釣り用浮きを提供する。【解決手段】  釣り用浮き１００は、ゴム製の浮き本体２とキャップ３とを備え、浮き本体２及びキャップ３に、釣糸を挿通する挿通孔５，６がそれぞれ形成され、浮き本体２は、ベース部１１と、ガン玉収納溝１と、フランジ付き軸部１２と、フランジ１６は、釣糸挿通方向に沿って形成された外周側面２６と、ベース部１１側に形成された下面２７とを有し、外周側面２６に当接する内周側面２８がキャップ３に形成され、フランジ１６の下面２７とベース部１１との間の隙間に係合するかぎ部２５が内周側面２８に形成され、前記外周側面２６に係合凹部１７が形成され、係合凹部１７に係合する係合凸部２４が前記内周側面２８に形成され、キャップ３は、釣糸挿通方向に無理バメ状態で浮き本体２に結合される。【選択図】  図１
2006081465.tif 000002
【特許請求の範囲】
【請求項１】
略弾頭形状をしたゴム製の本体と、
前記本体の頭部の反対側に結合され、略中空半球形状をしたゴム製のキャップとを備え、
前記本体及び前記キャップに、釣糸を挿通するための挿通孔がそれぞれ形成され、
前記本体は、ベース部と、
前記ベース部のキャップ側の端面中央から前記キャップに向かって突出するフランジ付き軸部と、
前記フランジ付き軸部を囲んで前記ベース部に形成され、ガン玉を収納するガン玉収納溝とを有し、
前記フランジ付き軸部のフランジは、釣糸挿通方向に沿って形成された外周側面と、前記ベース部側に形成された下面とを有し、
前記フランジの外周側面に前記キャップの内周側面が当接し、
前記フランジの下面と前記ベース部との間の隙間に係合する突環状のかぎ部が前記内周側面に形成され、
前記フランジの外周側面に第１凹凸係合部が形成され、
前記第１凹凸係合部に係合する第２凹凸係合部が前記キャップの内周側面に形成され、
前記キャップは、釣糸挿通方向に無理バメ状態で前記本体に着脱可能に結合されることを特徴とする釣り用浮き。
【請求項２】
ガン玉収納溝は、前記ゴムの復元力によって前記ガン玉を保持する請求項１に記載の釣り用浮き。
【請求項３】
釣糸との摩擦力を低減するための硬質樹脂製のパイプが各挿通孔内にそれぞれ挿入される請求項１又は２に記載の釣り用浮き。
【請求項４】
本体およびキャップはシリコーンゴム製である請求項１、２又は３に記載の釣り用浮き。
【発明の詳細な説明】
【技術分野】
【０００１】
本発明は、着脱自在な２分割構造を有する釣り用浮きに関する。
【背景技術】
【０００２】
特許文献１（実開平５−１３１７１号公報）には、従来の釣り用浮きが開示されている。この釣り用浮きは、浮き本体に天然木材を使用し、釣糸通し孔が設けられ、リング状の錘を収容する錘収容室が内部に設けられている。
【０００３】
しかしながら木製の浮きでは、岩等の障害物に当たると壊れたり、亀裂が生じて海水が内部に浸入し、浮きの比重が変化して浮力が不安定になるおそれがある。
【０００４】
また、沈め釣り等における浮きの浮力を調整するために、ガン玉（小型の球状錘）を収容する浮力調整ユニットを備えた釣り用浮きが提案されている。
【０００５】
非特許文献１には、ガン玉を収容する浮力調整ユニットを備えた釣り用浮きが開示されている。図５（ａ）は従来の釣り用浮き９０の平面図であり、図５（ｂ）は図５（ａ）の断面５ｂ−５ｂに沿った断面図である。釣り用浮き９０は、略卵形状をしており、本体９３と、本体９３の下側にねじによって螺合された浮力調整ユニット９２とを備える。本体９３および浮力調整ユニット９２は、硬質樹脂によって構成される。
【０００６】
本体９３には、釣糸を挿通するための挿通孔９５が中心軸８２に沿って形成される。本体９３の浮力調整ユニット９２側に円筒形の凹部９９が形成され、凹部９９の側壁に雌ネジ８１が形成される。
【０００７】
浮力調整ユニット９２には、釣糸を挿通するための挿通孔９８が挿通孔９５と同じ直径で同軸上に形成される。浮力調整ユニット９２は、本体９３の凹部９９に螺合する略円柱形状をした凸部９６を含む。凸部９６には、凹部９９の雌ネジ８１に噛み合う雄ネジ９７が形成される。浮力調整ユニット９２の内部には、ガン玉９を収容するガン玉収容スペース９４が本体９３側において凸部９６の周りに形成される。ガン玉収容スペース９４は、凸部９６と螺合する本体９３によって覆われる。
【０００８】
このように構成された釣り用浮き９０においては、本体９３に対して浮力調整ユニット９２を矢印Ａ５の方向から見て反時計方向に回転させると、雌ネジ８１と雄ネジ９７との螺合が解除され、浮力調整ユニット９２を本体９３から取り外すことができる。そして、ガン玉収容スペース９４に任意の個数のガン玉９を入れる。ガン玉収容スペース９４には、Ｇ８号〜Ｇ５号までのガン玉が数個入る。次に、浮力調整ユニット９２の凸部９６を、本体９３の凹部９９に挿入しながら、浮力調整ユニット９２を時計方向に回転させ、雌ネジ８１と雄ネジ９７との螺合により本体９３に組み付ける。このようにして、浮力調整ユニット９２のガン玉収容スペース９４内のガン玉９の個数および種類を調整し、沈め釣り等における浮き９０の浮力を、風向き、潮の流れ等の釣り現場の状況に応じて微調整することができる。
【特許文献１】実開平５−１３１７１号公報
【非特許文献１】株式会社釣研、「ストリーマー」、カタログ、日本国、福岡県遠賀郡遠賀町若松２０３株式会社釣研
【発明の開示】
【発明が解決しようとする課題】
【０００９】
しかしながら前述した釣り用浮き９０の構成では、浮力調整ユニット９２の本体９３に対する脱着を、浮力調整ユニット９２を回転させて行なわなければならず手間取るという問題がある。
【００１０】
また、前述した釣り用浮き９０は、ガン玉収容スペース９４の内側のネジで、浮力調整ユニット９２を本体９０に結合する構成なので、ガン玉収容スペース９４の外側の硬質樹脂製浮力調整ユニット９２と本体９０との間から海水等が浸入する水密性の問題が生じ、このため浮きの比重が増大するおそれがあり、これを防止するためにＯリング等を設ける必要があるという問題もある。
【００１１】
さらに、前述した釣り用浮き９０は硬質樹脂製であるので、障害物に当たって表面に亀裂が生じたり、表面の美観を損ねたりするという問題もある。
【００１２】
さらに、浮き９０の浮力を微調整するために、本体９３から取り外した浮力調整ユニット９２のガン玉収容スペース９４内のガン玉９を追加、削除または交換するときにおいて、ガン玉収容スペース９４内からガン玉９がばらばらと飛散しやすい。このため、ガン玉９を交換等する作業が煩雑になり、浮きの浮力を微調整することが困難であるという問題もある。
【００１３】
本発明の目的は、上記従来例の問題点を解決し得る釣り用浮きを提供することにある。
【課題を解決するための手段】
【００１４】
本発明に係る釣り用浮きは、略弾頭形状をしたゴム製の本体と、前記本体の頭部の反対側に結合され、略中空半球形状をしたゴム製のキャップとを備え、  前記本体及び前記キャップに、釣糸を挿通するための挿通孔がそれぞれ形成され、前記本体は、ベース部と、前記ベース部のキャップ側の端面中央から前記キャップに向かって突出するフランジ付き軸部と、前記フランジ付き軸部を囲んで前記ベース部に形成され、ガン玉を収納するガン玉収納溝とを有し、前記フランジ付き軸部のフランジは、釣糸挿通方向に沿って形成された外周側面と、前記ベース部側に形成された下面とを有し、前記フランジの外周側面に前記キャップの内周側面が当接し、前記フランジの下面と前記ベース部との間の隙間に係合する突環状のかぎ部が前記内周側面に形成され、前記フランジの外周側面に第１凹凸係合部が形成され、前記第１凹凸係合部に係合する第２凹凸係合部が前記キャップの内周側面に形成され、前記キャップは、釣糸挿通方向に無理バメ状態で前記本体に着脱可能に結合されることを特徴とする。
【００１５】
この構成によれば、キャップを本体に取り付けるために、ゴム製のキャップのかぎ部をゴム製の本体のフランジに押し当てると、かぎ部は、フランジによって押し広げられ、フランジの下面とベース部との間の隙間に係合する。キャップの内周側面の第２凹凸係合部は、前記フランジの外周側面の第１凹凸係合部に係合する。このようにして、キャップが釣糸挿通方向に無理バメ状態で本体に結合される。キャップを本体から引っ張ると、上記と逆の作用によりキャップを取り外すことができる。このような釣糸挿通方向の挿脱操作により簡単にキャップを本体に着脱することができる。
【００１６】
また、ゴム製のキャップがゴム製の本体に無理バメ状態で結合されるので、第１、第２凹凸係合部により係合関係となっているフランジの外周側面とキャップの内周側面との当接部により、キャップ内部の空間への海水等の侵入を防止するシールド効果を得ることができ、水密性を保持できる。このため、浮きの比重の増大がほとんど生じないので、安定した浮力を得ることができる。
【００１７】
さらに、本体及びキャップがゴム製なので、硬質樹脂製の浮きのように、障害物に当たって亀裂が生じたり、美観を損ねるという問題もない。
【００１８】
前記ガン玉収納溝は、前記ゴムの復元力によって前記ガン玉を保持することが好ましい。この構成によれば、ガン玉がゴムの復元力によって保持されるので、浮きの浮力を微調整するためにガン玉を交換等するときにおいて、従来技術の構成のようにガン玉が飛散するおそれがない。その結果、ガン玉を容易に交換等することができるので、浮きの浮力を容易に微調整することができる。
【００１９】
前記釣糸との摩擦力を低減するための硬質樹脂製のパイプが各挿通孔内にそれぞれ挿入されることが好ましい。ゴム製の挿通孔に直接釣糸を挿通すると、ゴムとの摩擦力により釣糸のすべりが良好でないが、硬質樹脂製のパイプに釣糸を挿通すると、浮きに対する釣糸の滑りが良好になるからである。
【００２０】
前記ゴムはシリコーンゴムであることが好ましい。シリコーンゴムは、撥水性に優れ、また光沢が良いため美観に優れるからである。
【発明の効果】
【００２１】
本発明によれば、簡単にキャップを本体に着脱することができると共に、安定した浮力を得ることができ、耐久性にもすぐれた釣り用浮きを提供することができる。
【発明を実施するための最良の形態】
【００２２】
以下図面を参照して本発明の実施の形態を説明する。
【００２３】
図１（ａ）は本実施の形態に係る釣り用浮き１００の平面図であり、図１（ｂ）は図１（ａ）の断面１ｂ−１ｂに沿った断面図である。釣り用浮き１００は、例えば直径Ｄ＝２２ｍｍ、高さＨ＝３６ｍｍの略たまご形形状をしており、略中実弾頭形状をした浮き本体２と、浮き本体２の頭部の反対側に結合され、略中空半球形状をしたキャップ部材３とを備える。
【００２４】
図２（ａ）は浮き本体２の平面図であり、図２（ｂ）は図２（ａ）の断面２ｂ−２ｂに沿った断面図である。浮き本体２は、シリコーンゴムによって構成される。このシリコーンゴムは、着色したゴムであることが好ましい。本実施の形態では黒色に着色したゴムが使用される。浮き本体２は、弾頭形状をしたベース部１１を有する。
【００２５】
ベース部１１には、ベース部１１のキャップ部材３側の端面中央からキャップ部材３に向かって突出するフランジ付き軸部１２が一体形成される。ベース部１１のキャップ部材３側の外周に沿って隆起する受け部１３が形成され、受け部１３には、キャップ部材３と対向する受け面１４が形成される。ガン玉９を保持するガン玉収納溝１が、フランジ付き軸部１２を囲んで受け部１３の内周側に形成される。
【００２６】
フランジ付き軸部１２の先端面の中央には、凹部１８が形成される。凹部１８の底面には、図示しない釣糸を挿通するための挿通孔４が中心軸１９に沿って浮き本体２を貫通して形成される。
【００２７】
フランジ付き軸部１２には、図２（ｂ）に示す矢印Ａ２の方向から見て受け面１４の内周側の一部を覆うように外周側に向かって突出するフランジ１６を有し、このフランジ１６は突出長さＬ＝３ｍｍ、厚みＴ１＝３ｍｍに形成されている。フランジ１６は、釣糸挿通方向に沿って形成されている外周側面２６と、ベース部１１側に形成された下面２７とを有する。外周側面２６には、断面が半円状の係合凹部１７が幅約１ｍｍ、深さ約０．５ｍｍに周設される。
【００２８】
ガン玉収納溝１に保持されるガン玉９は、鉛によって構成される。ガン玉収納溝１の溝幅Ｗはガン玉９の直径よりも若干小さい。本実施の形態では、溝幅Ｗは約２ｍｍである。ガン玉収納溝１の深さＨ３は約２ｍｍである。このようにガン玉収納溝１の溝幅Ｗはガン玉９の直径よりも若干小さいため、ガン玉収納溝１内のガン玉９は、ガン玉収納溝１の側壁１Ａおよび側壁１Ｂを押圧して圧縮弾性変形させる。このため、側壁１Ａおよび側壁１Ｂを構成するゴムの復元力Ｆ１およびＦ２によってガン玉収納溝１の側壁１Ａおよび側壁１Ｂの間に挟まれるようにガン玉９は保持される。受け面１４とフランジ１６の下面２７との間の隙間Ｇ１は例えば約２ｍｍである。
【００２９】
図３（ａ）はキャップ部材３の平面図であり、図３（ｂ）は図３（ａ）の断面３ｂ−３ｂに沿った断面図である。キャップ部材３は、シリコーンゴムによって構成される。このゴムは、着色したゴムであることが好ましい。本実施の形態では赤色に着色したゴムが使用される。キャップ部材３はキャップ本体２１を有する。
【００３０】
キャップ本体２１は、中空半球形状の天面部３０と、短円筒状の側面部３１とからなる。天面部３０の内周面２９の中央には、浮き本体２の凹部１８と嵌合する円筒部２２が立設される。キャップ部材３には、釣糸を挿通するための挿通孔５が前記挿通孔４と同じ直径で中心軸１９に沿って円筒部２２および天面部３０を貫通して形成される。
【００３１】
キャップ本体２１の側面部３１は、フランジ１６の外周側面２６に当接する内周側面２８を有する。内周側面２８には、フランジ１６の下面２６と受け面１４との間の隙間と係合する断面が半円状のかぎ部２５と、フランジ１６の係合凹部１７に係合する断面が半円状の係合凸部２４とが周設される。
【００３２】
浮き本体２の挿通孔４にはパイプ６が挿入され、キャップ部材３の挿通孔５にはパイプ７が天面部３０の外周面２３から若干突出して挿入される。パイプ６、７は、釣糸との摩擦力を低減して釣糸の滑りを良好にする観点から、テフロン（登録商標）製、または塩化ビニル製であることが好ましい。
【００３３】
このように構成された釣り用浮き１００においては、キャップ部材３を浮き本体２に取り付けるために、ゴム製のキャップ部材３のかぎ部２５をゴム製の浮き本体２のフランジ１６に押し当てると、かぎ部２５は、フランジ１６によって押し広げられ、フランジ１６の下面２７とベース部１１の受け面１４との間の隙間に係合し、キャップ部材３を位置決めする。キャップ部材３の内周側面２８の係合凸部２４は、フランジ１６の外周側面２６の係合凹部１７に係合し、キャップ部材３の抜け止めとなる。このようにして、キャップ部材３が釣糸挿通方向に無理バメ状態で浮き本体２に結合される。キャップ部材３を浮き本体２から引っ張ると、上記と逆の作用によりキャップ部材３を取り外すことができる。このような釣糸挿通方向の挿脱操作により簡単にキャップ部材３を浮き本体２に着脱することができる。
【００３４】
ガン玉９を交換等するときは、ゴム製の浮き本体２のフランジ１６を指で弾性変形させ、フランジ１６の下面２７と受け面１４との間の隙間を拡大して、ガン玉収納溝１内に保持されたガン玉９を容易に追加、削除または交換できる。ガン玉９は、ゴムの復元力によりガン玉収納溝１内に保持されるので、ガン玉９を交換等する際にガン玉９がばらばらと飛散するおそれがない。
【００３５】
図４は、本実施の形態に係る釣り用浮き１００の使用状態を説明するための図である。潮流および海上の風等の状況に応じて浮力を微調整されて海中３５の所望の深さに沈んでいる釣り用浮き１００には、図示しない釣りざおから延びる釣糸３１が挿通されている。
【００３６】
キャップ部材３のパイプ７に挿通された釣糸３１は、一旦、凹部１８と円筒部２２との間を通ってキャップ部材３内の空間に引き出され、再び凹部１８と円筒部２２との間を通って浮き本体２のパイプ６に挿通される。このため、円筒部２２と凹部１８との間に釣糸３１が挟み込まれるので、釣糸３１が釣り用浮き１００に固定される。
【００３７】
釣糸３１の先端には、潮受ウキゴム３２が取り付けられ、長さ約３ｍのハリス３３が潮受ウキゴム３２に連結されている。ハリス３３の先端には、餌３４が係止された釣り針３６が取り付けられている。
【００３８】
なお本実施の形態では、シリコーンゴムにより浮き本体２およびキャップ部材３を構成する例を示したが、シリコーンゴム以外のゴムで構成してもよい。
【００３９】
また、キャップ部材３側に係合凸部２４を設け、フランジ１６側に係合凹部１７を設ける例を示したが、逆にキャップ部材３側に凹部を設け、フランジ１６側に凸部を設けて係合させてもよい。
【００４０】
本実施の形態では浮き１００を構成する浮き本体２およびキャップ部材３がゴム製なので、障害物に当たっても従来の木製の浮きのように壊れたり亀裂が生じたりするおそれが少ない。例え多少の亀裂が生じたとしても、浮きの内部に海水が侵入することがないので比重の変化が生じない。このため、安定した浮力を得ることができる。
【００４１】
さらに、着色したゴムによって浮き本体２およびキャップ部材３を構成するので、塗装または印刷によって着色する必要がない。このため、釣り用浮きの色落ち、変色が生じない。
【００４２】
さらに、釣り用浮きが、浮き本体２により構成される浮き下部とキャップ部材３により構成される浮き上部とからなるので、天候、時間帯に応じて見やすい色に着色された浮き上部に交換することができる。このため、視認性が良い釣り用浮きを得ることができる。
【００４３】
さらに、ガン玉９を交換等して浮力を微調整することにより浮きが静かにゆっくりと沈み込むため、魚の小さな当たりもとりやすい。
【００４４】
さらに、浮力の微調整が可能なので、沈め釣り、探り釣りを好む釣り上級者にも満足してもらえる。
【産業上の利用可能性】
【００４５】
本発明は、着脱自在な２分割構造を有する釣り用浮きに適用することができる。
【図面の簡単な説明】
【００４６】
【図１】（ａ）は本実施の形態に係る釣り用浮きの平面図であり、（ｂ）は（ａ）の断面１ｂ−１ｂに沿った断面図である。
【図２】（ａ）は本実施の形態に係る釣り用浮きに設けられた浮き本体の平面図であり、（ｂ）は（ａ）の断面２ｂ−２ｂに沿った断面図である。
【図３】（ａ）は本実施の形態に係る釣り用浮きに設けられたキャップ部材の平面図であり、（ｂ）は（ａ）の断面３ｂ−３ｂに沿った断面図である。
【図４】本実施の形態に係る釣り用浮きの使用状態を説明するための図である。
【図５】（ａ）は従来の釣り用浮きの平面図であり、（ｂ）は（ａ）の断面５ｂ−５ｂに沿った断面図である。
【符号の説明】
【００４７】
１  ガン玉収納溝
１Ａ、１Ｂ  側壁
２  浮き本体
３  キャップ部材
４、５挿通孔
６、７  パイプ
９  ガン玉
１１  ベース部
１２  フランジ付き軸部
１３  受け部
１４  受け面
１６  フランジ
１７  係合凹部
１８  凹部
１９  中心軸
２１  キャップ本体
２２  円筒部
２３  外周面
２４  係合凸部
２５  かぎ部
２６  外周側面
２７  下面
２８  内周側面
２９  内周面
３０  天面部
３１  側面部
１００  釣り用浮き
【図１】
2006081465.tif 000003
【図２】
2006081465.tif 000004
【図３】
2006081465.tif 000005
【図４】
2006081465.tif 000006
【図５】
2006081465.tif 000007